(57)【要約】      （修正有）【課題】軽量で容易に搬入、組立てや分解，移設ができ展示物を任意の位置に取付けられ、しかもデザイン的にスマートなディスプレイ用アルミフレームスタンドを提供する。【解決手段】アルミ押出形材で断面形状の異なった支柱フレーム１と横架フレーム２からなり、各々の押出形材の長手方向に沿って内部に中空部が形成され、側面にはスライドナット固定用の溝が形成されている。支柱フレーム１を四方の床面ベース板３に、各々ネジ固定し立設させ、適宜複数の横架フレーム２をそれぞれの支柱フレーム１間の任意の高さ位置にスライドナットとブラケット４で連結固定させ四角形の囲い込み状の枠体構造とする。【選択図】図１
0003189558.tif 000002
【実用新案登録請求の範囲】
【請求項１】
断面形状の異なったアルミ押出形材の支柱フレームと横架フレームからなり、各々の押出形材の長手方向に沿って内部に中空部と側面にスライドナット固定用の溝が形成されている。該支柱フレームを四方の床面ベース板に各々ネジ固定し立設させ、適宜複数の横架フレームをそれぞれの支柱フレーム間の任意の位置に、スライドナットとブラケットで連結固定させて四角形の囲い込み状の枠体とさせる事を構造とするディスプレイ用アルミフレームスタンド。
【考案の詳細な説明】
【技術分野】
【０００１】  本考案は、ショールームや店舗、展示ブース等に設置する商品展示用の構造枠スタンドに関するものである。
【背景技術】
【０００２】  従来、展示会や各種イベント会場又は商業店舗内等に用いられる商品展示用構造枠は、主に４本もしくは３本の円柱に細いパイプの筋交いで三角形になるように熔接したトラス構造体を連結して組立てたものであった。【０００３】  また、上記トラス構造体は耐荷重性と耐久力に優れているので、柱や梁にも用いられ、屋外の露出する様な箇所にも多く利用されている。
【考案の概要】
【考案が解決しようとする課題】
【０００４】  しかしながら上記トラス構造体は、耐荷重性に優れている為重量物を取付けたり展示物を常設するのに最適であるが、小さな軽量物等を取付けるには本体の構造体自体が大きすぎデザイン的にも不向きである。また本体重量が重たくなり搬出入や組立、分解に手間と労力がかかるだけでなく、筋交いの熔接部分が展示物用取付金具等に当たり任意の位置に取付けられないという問題もあった。【０００５】  本考案は、上記問題を鑑みてなされたもので、軽量で容易に搬入、組立や分解，移設ができ、展示物を任意の位置に取付けられ、しかもデザイン的にスマートなディスプレイ用アルミフレームスタンドを提供することを目的とする。
【課題を解決するための手段】
【０００６】  上述の目的を達成する為には、断面形状の異なったアルミ押出形材の支柱フレームと横架フレームからなり、各々の押出形材の長手方向に沿って内部に中空部と側面にスライドナット固定用の溝が形成されている。該支柱フレームを四方の床面ベース板に各々ネジ固定し立設させ、適宜複数の横架フレームをそれぞれの支柱フレーム間の任意の位置に、スライドナットとブラケットを用いボルトで連結固定させて四角形の囲い込み状の枠体構造とする事。
【考案の効果】
【０００７】  本考案の効果として、アルミの押出形材を使うことで軽量で適度な強度とスマートなデザインとなり、アルミフレーム側面の溝を利用してスライドナットとブラケットで連結固定する為、横架フレームの高さ位置と取付用展示物の設置位置が自在に設定でき、組立や分解だけでなく搬出入が容易となり様々な場所で利用することが可能となる。
【図面の簡単な説明】
【０００８】
【図１】本考案のアルミフレームスタンドの設置斜視図。
【図２】本考案のアルミフレームスタンドの組立説明図。
【図３】本考案のアルミフレームスタンドにパネルを組み込んだ場合の拡大図。
【図４】本考案のアルミフレームスタンドにＬ型アングルを取付けた場合の拡大図。
【図５】本考案のアルミフレームスタンドを別形態の組合せにした場合の設置斜視図。
【考案を実施するための形態】
【実施例】
【０００９】  本考案の実施例を図に基づいて説明する。図１は、本考案のアルミフレームスタンドを組立てた場合の設置斜視図である。アルミ押出形材で断面形状の異なった支柱フレーム１と横架フレーム２からなり、各々の押出形材の長手方向に沿って内部に中空部が形成され、側面にはスライドナット５固定用の溝６が形成されている。該支柱フレーム１を四方の床面ベース板３に各々ネジ７固定し立設させ、適宜複数の横架フレーム２をそれぞれの支柱フレーム１間の任意の高さ位置にスライドナット５とブラケット４で連結固定させ四角形の囲い込み状の枠体構造としている。【００１０】  図２は、本考案のアルミフレームスタンドの組立説明図である。両端に予めタップ加工９を施した支柱フレーム１をベース板３の裏面よりネジ７固定し立設させ、該支柱フレーム１の溝６に２個のスライドナット５を挿入する。同様に横架フレーム２の先端側上面、下面の溝６にもスライドナット５を各々挿入し、上下二個のブラケット４で該横架フレーム２を挟持する形でボルト８固定させる。さらに、前記支柱フレーム１の溝６内のスライドナット５を任意の高さに移動させ前記横架フレーム２の先端に固定されたブラケット４をボルト８で接続固定させる。このようにして各々の支柱フレーム１と横架フレーム２を連結固定させることにより本考案の四角形の囲い込み状のアルミフレームスタンドが組立てられる。【００１１】  具体的には、アルミ押出形材の支柱フレーム１は長手方向の四側面にスライドナット５用の溝６を施した略長方形とし、横架フレーム２は長手方向の上下二面にスライドナット５用の溝６を施した略正方形とする。又、両フレームの溝６は同一形状とし、各フレーム側面のコーナーにアールを付けデザイン的に見栄えの良いスマートな形状にするとよい。【００１２】  ベース板３は、支柱フレーム１とのネジ７固定をする接続面より形状を大きくし比較的板厚を厚く重たくさせることによって安定感をもたせる。さらに支柱フレーム１を立設固定させる為の接続孔は、床面側を皿もみ加工することによって、ネジ７の頭が突出しないようにしておく。また、使用状況に応じて複数個の床固定用取付孔を設けておくとよい。【００１３】  スライドナット５は加工しやすいアルミ材を用い、各フレームの溝６内をスムーズにスライドさせる為溝６内長手方向の長尺形状とする。また接続用タップ加工を複数個施すことにより、様々な接続金具に対応できるようにする。【００１４】  図３は、本考案のアルミフレームスタンドを用いて壁面に見立てたパネル１０を組み込んだ場合の設置拡大図である。下方の横架フレーム２の溝６内に設置するパネル１０を落とし込み、上方の横架フレーム２の溝６で押さえ込み、該横架フレーム２を左右両端のブラケット４で固定させ、溝６内パネルの後ろ側の隙間にスペーサー１１を入れ込みクリアランスを調整させたものである。これにより、パネル１０がフレームの溝６の中で動かないように設置される。また支柱フレーム１と横架フレーム２の高さ位置は、支柱フレーム１の溝６内のスライドナット５を移動させて自在に固定できるので状況にあわせた任意の位置決めができる。【００１５】  図４は、本考案のアルミフレームスタンドを用いてＬ型アング���１２を取付けた場合の設置拡大図である。上下各々の横架フレーム２の溝６内に挿入したスライドナット５のタップ加工にＬ型アングル１２をボルト８で取付け、このＬ型アングル１２を利用して看板や展示物等を取付ける事が可能となる。又、各フレーム溝６内のスライドナット５を利用しているので、前記パネル同様の上下位置調整だけでなく左右の設置位置の移動調整もできる。【００１６】  図５は、本考案の図１で示した形態の四方の支柱フレーム１を二本構造に連結固定して各々横架フレーム２を接続固定した設置斜視図である。この二連結構造にすることによって、二列前後に渡した横架フレーム２に展示物を吊架固定させて荷重を分散させることができる為、より重たい展示物に対応させる事が可能となるだけでなく四方の囲い込み強度がより堅牢となり安定性が増す。【００１７】  上記支柱フレーム１を二連結構造にするには、連結する支柱フレーム１間の上下に四方をＬ型に立上げ四隅を熔接した連結金具１３を挟み込み、支柱フレーム１の溝６内に予め入れ込んでおいたスライドナット５を利用して固定させる。さらに連結方向に伸ばして大きな形状としたベース板３に固定させる。これにより二連結となり立設させる事ができる。また、連結金具１３に予め縦横にいくつかの貫通孔を設けておけば、デザイン的に見栄えがよくなり、また該貫通孔を利用して小さな軽量物を設置することもできさらに用途が広がる。
【符号の説明】
【００１８】１    支柱フレーム
２    横架フレーム
３    ベース板
４    ブラケット
５    スライドナット
６    溝
７    ネジ
８    ボルト
９    タップ加工
１０  パネル
１１  スペーサー
１２  Ｌ型アングル
１３  連結金具
【図１】
0003189558.tif 000003
【図２】
0003189558.tif 000004
【図３】
0003189558.tif 000005
【図４】
0003189558.tif 000006
【図５】
0003189558.tif 000007